【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
役を構成する図柄を含む複数種類の図柄を表示した複数のリールと、
各前記リールごとに設けられ、対応する前記リールを停止させるときに遊技者が操作するストップスイッチと、
前記ストップスイッチが操作されたときに前記リールを停止制御するリール制御手段と、
通常モード、及び解除条件を満たすまで継続するペナルティモードとを有し、これらの間の移行を制御するモード制御手段と
を備え、
遊技には、前記ストップスイッチの押し順によって遊技者の受ける利益を異ならせる押し順遊技と、前記ストップスイッチの押し順がいずれの押し順であっても遊技者の受ける利益を同一にした押し順不問遊技とを有し、
前記リール制御手段は、前記押し順遊技では、前記ストップスイッチの押し順に応じて利益が異なる図柄の組合せを停止表示させ、前記押し順不問遊技では、前記ストップスイッチの押し順にかかわらず利益が同一の図柄の組合せを停止表示させるように前記リールを停止制御し、
前記通常モードの前記押し順不問遊技において、前記ペナルティモードに移行させない標準押し順と、前記ペナルティモードに移行させるペナルティ押し順とが定まるようにし、
前記モード制御手段は、前記通常モードの前記押し順不問遊技において、前記ストップスイッチが前記ペナルティ押し順で操作されたときは、前記ペナルティモードに移行させ、前記ペナルティモードに移行したときは、前記ペナルティモードの解除条件を満たすまで前記ペナルティモードを継続するように制御し、
前記押し順不問遊技は、役の抽選で役抽選結果Ａとなった場合を含み、
前記リール制御手段は、役抽選結果Ａとなった場合において、前記ストップスイッチが前記標準押し順で操作されたときは、図柄の組合せＰを停止表示可能に前記リールを停止制御し、前記ストップスイッチが前記標準押し順以外の特定押し順で操作されたときは、図柄の組合せＱを停止表示可能に前記リールを停止制御し、
役抽選結果Ａとなったときは、前記標準押し順及び前記特定押し順以外の所定の押し順を前記ペナルティ押し順とし、
前記ストップスイッチの押し順の報知を制御する報知制御手段を備え、
前記報知制御手段は、前記特定押し順を報知することに決定した場合において、役抽選結果Ａとなったときは、前記特定押し順を報知する
ことを特徴とするスロットマシン。
【手続補正２】
【補正対象書類名】明細書
【補正対象項目名】０００５
【補正方法】変更
【補正の内容】
【０００５】
本発明が解決しようとする課題は、メイン遊技状態（ＲＴ遊技）を移行させることなく、特殊リプレイが出現しやすい状態と出現しにくい状態とを作り出すことである。
【手続補正３】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
役を構成する図柄を含む複数種類の図柄を表示した複数（左、中、右の３個）のリール（３１）と、
各前記リールごとに設けられ、対応する前記リールを停止させるときに遊技者が操作するストップスイッチ（４２）と、
前記ストップスイッチが操作されたときに前記リールを停止制御するリール制御手段（６４）と、
通常モード、及び解除条件を満たすまで継続するペナルティモードとを有し、これらの間の移行を制御するモード制御手段（７０）と
を備え、
遊技には、前記ストップスイッチの押し順によって遊技者の受ける利益を異ならせる押し順遊技と、前記ストップスイッチの押し順がいずれの押し順であっても遊技者の受ける利益を同一にした押し順不問遊技とを有し、
前記リール制御手段は、前記押し順遊技では、前記ストップスイッチの押し順に応じて利益が異なる図柄の組合せを停止表示させ、前記押し順不問遊技では、前記ストップスイッチの押し順にかかわらず利益が同一の図柄の組合せを停止表示させるように前記リールを停止制御し、
前記通常モードの前記押し順不問遊技において、前記ペナルティモードに移行させない標準押し順（左中右、左右中）と、前記ペナルティモードに移行させるペナルティ押し順とが定まるようにし、
前記モード制御手段は、前記通常モードの前記押し順不問遊技において、前記ストップスイッチが前記ペナルティ押し順で操作されたときは、前記ペナルティモードに移行させ、前記ペナルティモードに移行したときは、前記ペナルティモードの解除条件を満たすまで前記ペナルティモードを継続するように制御し、
前記押し順不問遊技は、役の抽選で役抽選結果Ａ（第２１、第２２、第２６、第２７リプレイ当選）となった場合を含み、
前記リール制御手段は、役抽選結果Ａとなった場合において、前記ストップスイッチが前記標準押し順で操作されたときは、図柄の組合せＰ（「ＲＰ１」−「ＲＰ１」−「ＲＰ１」等）を停止表示可能に前記リールを停止制御し、前記ストップスイッチが前記標準押し順以外の特定押し順（右中左）で操作されたときは、図柄の組合せＱ（「赤７」がテンパイする停止出目）を停止表示可能に前記リールを停止制御し、
役抽選結果Ａとなったときは、前記標準押し順及び前記特定押し順以外の所定の押し順（中左右、中右左）を前記ペナルティ押し順とし、
前記ストップスイッチの押し順の報知を制御する報知制御手段（８２）を備え、
前記報知制御手段は、前記特定押し順を報知することに決定した場合において、役抽選結果Ａとなったときは、前記特定押し順を報知する
ことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明によれば、特定押し順の報知の有無により、メイン遊技状態（ＲＴ遊技）を移行させることなく、図柄の組合せＱが出現しやすい状態と出現しにくい状態とを作り出すことができる。
【手続補正１１】
【補正対象書類名】明細書
【補正対象項目名】０２７８
【補正方法】変更
【補正の内容】
【０２７８】
ここで、メイン制御手段５０側でペナルティを設定する押し順と、サブ制御手段８０側でペナルティを設定する押し順とは、完全に一致するようにしてもよい。
しかし、これに限らず、たとえば、メイン制御手段５０側でペナルティを設定する押し順の一部について、サブ制御手段８０側でペナルティを設定してもよく、逆に、サブ制御手段８０側でペナルティを設定する押し順の一部について、メイン制御手段５０側でペナルティを設定してもよい。
＜付記＞
本願の出願当初の請求項に係る発明（当初発明）が解決しようとする課題、当初発明に係る課題を解決するための手段及び当初発明の効果は、以下の通りである。
（１）当初発明が解決しようとする課題
メイン遊技状態（ＲＴ遊技）を移行させなければ、リプレイの当選確率を変えることができないので、特殊リプレイが出現しやすい状態と出現しにくい状態とを作り出すことができない。
したがって、当初発明が解決しようとする課題は、メイン遊技状態（ＲＴ遊技）を移行させることなく、特殊リプレイが出現しやすい状態と出現しにくい状態とを作り出すことである。
（２）当初発明に係る課題を解決するための手段（なお、かっこ書きで、対応する実施形態を記載する。）
第１の解決手段は、役を構成する図柄を含む複数種類の図柄を表示した複数（左、中、右の３個）のリール（３１）と、各前記リールごとに設けられ、対応する前記リールを停止させるときに遊技者が操作するストップスイッチ（４２）と、前記ストップスイッチが操作されたときに前記リールを停止制御するリール制御手段（６４）と、通常モード、及び前記通常モードよりも遊技者にとって不利なペナルティモードとを有し、これらの間の移行を制御するモード制御手段（７０）とを備え、遊技には、前記ストップスイッチの押し順によって遊技者の受ける利益を異ならせる押し順遊技と、前記ストップスイッチの押し順がいずれの押し順であっても遊技者の受ける利益を同一にした押し順不問遊技とを有し、前記リール制御手段は、前記押し順遊技では、前記ストップスイッチの押し順に応じて利益が異なる図柄の組合せを停止表示させ、前記押し順不問遊技では、前記ストップスイッチの押し順にかかわらず利益が同一の図柄の組合せを停止表示させるように前記リールを停止制御し、前記通常モードの前記押し順不問遊技において、前記ペナルティモードに移行させない標準押し順（左中右、左右中）と、前記ペナルティモードに移行させるペナルティ押し順とが割り当てられ、前記モード制御手段は、前記通常モードの前記押し順不問遊技において、前記ストップスイッチが前記ペナルティ押し順で操作されたときは、前記ペナルティモードに移行させ、前記ペナルティモードに移行したときは、前記ペナルティモードの解除条件を満たすまで前記ペナルティモードを継続するように制御し、前記押し順不問遊技は、役の抽選で役抽選結果Ａ（リプレイＡ群、リプレイＣ群）となった場合を含み、前記リール制御手段は、役抽選結果Ａとなった場合において、前記ストップスイッチが前記標準押し順で操作されたときは、図柄の組合せＰ（「ＲＰ１」−「ＲＰ１」−「ＲＰ１」等）を停止表示可能に前記リールを停止制御し、前記ストップスイッチが前記標準押し順以外の特定押し順（右中左）で操作されたときは、図柄の組合せＱ（「赤７」−「赤７」−「赤７」等）を停止表示可能に前記リールを停止制御し、役抽選結果Ａとなったときは、前記標準押し順及び前記特定押し順以外の押し順に対して、前記ペナルティ押し順が割り当てられ、前記ストップスイッチの押し順の報知を制御する報知制御手段（８２）を備え、前記報知制御手段は、前記特定押し順を報知するか否かを決定するとともに、前記特定押し順を報知することに決定した場合において、役抽選結果Ａとなったときは、前記特定押し順を報知し、図柄の組合せＱの停止表示の結果に基づいて遊技者に対して特典（ＡＴ遊技の実行権利）を付与することを特徴とするスロットマシンである。
第２の解決手段は、第１の解決手段において、前記押し順不問遊技は、役の抽選で役抽選結果Ｂ（リプレイＢ群、リプレイＤ群）となった場合を含み、前記リール制御手段は、役抽選結果Ｂとなった場合において、前記ストップスイッチが前記標準押し順で操作されたときは、図柄の組合せＰを停止表示可能に前記リールを停止制御し、前記ストップスイッチが前記特定押し順で操作されたときは、図柄の組合せＱの一部が形成されているものの図柄の組合せＱとは異なる図柄の組合せＲ（「赤７」がテンパイするものの、「赤７」−「赤７」−「赤７」にはならない停止出目）を停止表示可能に前記リールを停止制御し、前記報知制御手段は、前記特定押し順を報知することに決定した場合は、役抽選結果Ａとなったとき及び役抽選結果Ｂとなったときの双方で、前記特定押し順を報知することを特徴とするスロットマシンである。
（作用）
当初発明においては、押し順不問遊技で、標準押し順と、ペナルティ押し順とが割り当てられる。
また、押し順不問遊技には、役抽選結果Ａとなった場合が含まれる。
さらにまた、役抽選結果Ａとなった場合において、ストップスイッチを標準押し順で操作したときは、図柄の組合せＰが停止表示可能となり、ストップスイッチを特定押し順で操作したときは、図柄の組合せＱが停止表示可能となる。
さらに、役抽選結果Ａとなったときは、標準押し順及び特定押し順以外の押し順に対して、ペナルティ押し順が割り当てられる。
また、押し順不問遊技で、ストップスイッチを標準押し順で操作したときは、図柄の組合せＱが停止表示されることはなく、ペナルティモードに移行することもない。
さらにまた、押し順不問遊技で、ストップスイッチをペナルティ押し順で操作したときは、通常モードよりも遊技者にとって不利なペナルティモードに移行する。そうすると、ペナルティモードの解除条件を満たすまで、ペナルティモードが継続する。
さらに、特定押し順を報知することに決定した場合において役抽選結果Ａとなったときは、特定押し順を報知する。このとき、ストップスイッチを特定押し順で操作すると、図柄の組合せＱが停止表示可能となる。そして、図柄の組合せＱの停止表示の有無や回数に応じて、遊技者に対して特典を付与する。
（当初発明と実施形態との関係）
実施形態では、押し順遊技は、役の抽選で第１〜第５６ベル（押し順ベル）に当選した遊技に相当し、押し順不問遊技は、役の抽選で第１〜第２７リプレイ（押し順不問リプレイ）に当選した遊技に相当する。
（３）当初発明の効果
当初発明によれば、押し順不問遊技で、ストップスイッチを標準押し順で操作すると、図柄の組合せＱが停止表示されることはなく、ペナルティモードに移行することもない。
さらにまた、押し順不問遊技で、ストップスイッチをペナルティ押し順で操作すると、ペナルティモードに移行して、通常モードよりも遊技者にとって不利になる。
さらに、役抽選結果Ａとなった遊技で、特定押し順が報知されたときに、ストップスイッチを特定押し順で操作すると、図柄の組合せＱが停止表示可能となる。
このため、特定押し順の報知がないときは、ペナルティ回避のために遊技者に標準押し順を選択させるようにしつつ、特定押し順の報知の有無により、メイン遊技状態（ＲＴ遊技）を移行させることなく、図柄の組合せＱ（「赤７」が揃うリプレイ）が出現しやすい状態と出現しにくい状態とを作り出すことができる。